(57)【要約】【課題】ファイルデータ内に含まれる属性データを表示することを可能にするプログラムを提供する。【解決手段】ＣＰＵ１８は、メモリ１７に記憶されたプログラムＰＲＧを実行し、接続先として指定された外部装置から入力したファイルデータＦＩＬＥ＿１〜ＦＬＩＥ＿Ｎをパースして、属性データを抽出する。そして、ＣＰＵ１８は、上記抽出した属性データを表示するためのＧＵＩ画面の画像データを生成し、当該画像データをインタフェース１２を介してディスプレイ１６に出力する。【選択図】  図２
2004310331.tif 000002
【特許請求の範囲】
【請求項１】
コンテンツデータと前記コンテンツデータの属性を示す属性データとを含むファイルデータをパースして前記属性データを抽出する第１の手順と、
前記第１の手順で抽出した前記属性データを表示する画像データを生成する第２の手順と
をコンピュータに実行させるプログラム。
【請求項２】
前記ファイルデータを保持する保持元に接続する第３の手順
を前記コンピュータにさらに実行させ、
前記第１の手順は、前記第３の手順で接続した前記保持元から入力した前記ファイルデータをパースする
請求項１に記載のプログラム。
【請求項３】
前記第２の手順は、前記第３の手順で接続した前記保持元から入力した前記ファイルデータの一覧と共に前記属性データを表示する前記画像データを生成する
請求項２に記載のプログラム。
【請求項４】
前記ファイルデータの全体あるいは一部を指定するための画像の画像データを生成する第４の手順と、
前記第４の手順で生成された前記画像データによる前記画像を基に指定された前記ファイルデータの一部を基にクリップデータを生成する第５の手順と
を前記コンピュータにさらに実行させる
請求項１に記載のプログラム。
【請求項５】
前記ファイルデータは、所定のデータと当該所定のデータを識別する識別データとをそれぞれ含む複数のモジュールデータで構成され、
前記第１の手順は、前記ファイルデータをパースして前記モジュールデータの前記識別データを検出し、当該検出した前記識別データを基に、前記属性データを抽出する
請求項１に記載のプログラム。
【請求項６】
前記第１の手順は、前記コンテンツデータの形式、生成方法、生成時、生成者、生成国名、前記コンテンツデータがビデオデータである場合の記録時に指定された画像の特定、並びに複数の系統のコンテンツデータが前記ファイルデータに格納されている場合に前記系統のうち少なくとも一つを示す前記属性データを抽出する
請求項１に記載のプログラム。
【請求項７】
コンピュータが実行するデータ処理方法であって、
コンテンツデータと前記コンテンツデータの属性を示す属性データとを含むファイルデータをパースして前記属性データを抽出する第１の工程と、
前記第１の工程で抽出した前記属性データを表示する画像データを生成する第２の工程と
を有するデータ処理方法。
【請求項８】
前記ファイルデータを保持する保持元に接続する第３の工程
をさらに有し、
前記第１の工程は、前記第３の工程で接続した前記保持元から入力した前記ファイルデータをパースする
請求項７に記載のデータ処理方法。
【請求項９】
コンテンツデータと前記コンテンツデータの属性を示す属性データとを含むファイルデータをパースして前記属性データを抽出する第１の手段と、
前記第１の手段で抽出した前記属性データを表示する画像データを生成する第２の手段と
を有するデータ処理装置。
【発明の詳細な説明】
【０００１】
【発明の属する技術分野】
本発明は、ファイルデータ内に含まれる属性データを表示することを可能にするプログラム、その方法およびその装置に関する。
【０００２】
【従来の技術】
ＭＸＦ（Ｍａｔｅｒｉａｌ  ｅＸｃｈａｎｇｅ  Ｆｏｒｍａｔ）と呼ばれる機器間でのデータ交換フォマットが提案されている。
例えば、編集装置は、外部装置に記憶されているファイルデータのリストを表示する場合に、例えば、所定のファイル管理データから取得したファイル名、ファイルのサイズ、並びに更新時を示すリストビュー画面を表示する。
【０００３】
ところで、ＭＸＦのファイルデータ内には、上記ファイル管理データには示されていない、コンテンツデータ（素材データ）の属性を示すＵＭＩＤデータ、並びに上記コンテンツデータのチャンネル（系統）を示すＶ／Ａ＿Ｃデータなどの属性データが含まれている。また、コンテンツデータ内には、ユーザがコンテンツの記録（生成）時にグットシーンとして指定した画像の画像データに対応付けられたＥＭ（Ｅｓｓｅｎｃｅ  Ｍａｒｋ）データが含まれている。
【０００４】
【発明が解決しようとする課題】
しかしながら、上述した従来の編集装置は、上記リストビュー画面を表示する場合に、上記ファイル管理データのみから情報を取得するため、上述したファイルデータに含まれるＵＭＩＤデータ、Ｖ／Ａ＿ＣデータおよびＥＭデータなどの属性データを表示できないという問題がある。
【０００５】
本発明はかかる事情に鑑みてなされたものであり、その目的は、ファイルデータ内に含まれる属性データを表示することを可能にするプログラム、その方法およびその装置を提供することを目的とする。
【０００６】
【課題を解決するための手段】
上記の目的を達成するため、第１の発明のプログラムは、コンテンツデータと前記コンテンツデータの属性を示す属性データとを含むファイルデータをパースして前記属性データを抽出する第１の手順と、前記第１の手順で抽出した前記属性データを表示する画像データを生成する第２の手順とをコンピュータに実行させる。
【０００７】
第１の発明のプログラムの作用は以下のようになる。
本発明のプログラムがコンピュータで実行され、当該コンテンツデータと前記コンテンツデータの属性を示す属性データとを含むファイルデータをパースして前記属性データを抽出する第１の手順を当該コンピュータに実行させる。
次に、当該プログラムが、前記第１の手順で抽出した前記属性データを表示する画像データを生成する第２の手順を前記コンピュータに実行させる。
【０００８】
第２の発明のデータ処理方法は、コンピュータが実行するデータ処理方法であって、コンテンツデータと前記コンテンツデータの属性を示す属性データとを含むファイルデータをパースして前記属性データを抽出する第１の工程と、前記第１の工程で抽出した前記属性データを表示する画像データを生成する第２の工程とを有する。
【０００９】
第３の発明のデータ処理装置は、コンテンツデータと前記コンテンツデータの属性を示す属性データとを含むファイルデータをパースして前記属性データを抽出する第１の手段と、前記第１の手段で抽出した前記属性データを表示する画像データを生成する第２の手段とを有する。
【００１０】
第３の発明のデータ処理装置の作用は以下のようになる。
第１の手段が、コンテンツデータと前記コンテンツデータの属性を示す属性データとを含むファイルデータをパースして前記属性データを抽出する。
次に、第２の手段が、前記第１の手段で抽出した前記属性データを表示する画像データを生成する。
【００１１】
【発明の実施の形態】
以下、本発明の実施形態に係わる編集システムについて説明する。
図１は、本発明の実施形態に係わる編集システム１の構成図である。
図１に示すように、編集システム１は、例えば、外部装置３＿１〜３＿Ｎおよび編集装置４を有する。
ここで、編集装置４が第３の発明のデータ処理装置に対応している。
外部装置３＿１〜３＿Ｎは、例えば、ＶＴＲ（Ｖｉｄｅｏ  Ｔａｐｅ  Ｒｅｃｏｒｄｅｒ）  、光ディスクドライブ、ＦＴＰ（Ｆｉｌｅ  Ｔｒａｎｓｆｅｒ  Ｐｒｏｔｏｃｏｌ）サーバあるいはローカルドライブなどである。
外部装置３＿１〜３＿Ｎは、所定のデータを記憶し、編集装置４と接続されると、当該データをＭＸＦのファイルデータＦＩＬＥ＿１〜ＦＩＬＥ＿Ｎに変換して編集装置４に転送（出力）する。
外部装置３＿１〜３＿Ｎと編集装置４との間のデータ転送は、ＦＴＰ（Ｆｉｌｅ  Ｔｒａｎｓｆｅｒ  Ｐｒｏｔｏｃｏｌ）、ＰＣ（Ｐｅｒｓｏｎａｌ  Ｃｏｍｐｕｔｅｒ）  ネットワーク、ＵＳＢ（Ｕｎｉｖｅｒｓａｌ  Ｓｅｒｉａｌ  Ｂｕｓ）、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）１３９４などのプロトコルで行われる。
【００１２】
以下、図１に示す編集装置４について説明する。
図２は、図１に示す編集装置４のハードウェア構成図である。
図２に示すように、編集装置４は、例えば、インタフェース１１、インタフェース１２、インタフェース１３、操作部１４、スピーカ１５、ディスプレイ１６、メモリ１７およびＣＰＵ（Ｃｅｎｔｒａｌ  Ｐｒｏｃｅｓｓｉｎｇ  Ｕｎｉｔ）  １８を有し、これらがバス１０を介して接続されている。
ここで、ＣＰＵ１８が本発明のコンピュータに対応している。
また、メモリ１７が、本発明のプログラムに対応するプログラムＰＲＧを記憶している。
【００１３】
インタフェース１１は、図１に示す外部装置３＿１〜３＿ＮからファイルデータＦＩＬＥ＿１〜ＦＩＬＥ＿Ｎの全部または一部を入力する。
インタフェース１２は、ＣＰＵ１８によるプログラムＰＲＧの実行に応じて生成されたＧＵＩ（Ｇｒａｐｈｉｃａｌ  Ｕｓｅｒ  Ｉｎｔｅｒｆａｃｅ）画面の画像信号をディスプレイ１６に出力する。
また、インタフェース１２は、ＣＰＵ１８が生成した上記ＧＵＩ画面に対応した音声の音声信号をスピーカ１５に出力する。
スピーカ１５は、インタフェース１２を介してＣＰＵ１８から入力した音声信号に応じた音声を出力する。
ディスプレイ１６は、インタフェース１２を介してＣＰＵ１８から入力した画像信号に応じた画面を表示する。
インタフェース１３は、操作部１４を介して入力されたユーザの操作の応じた操作信号をＣＰＵ１８に出力する。
操作部１４は、マウスやキーボードなどの操作手段である。
【００１４】
メモリ１７は、プログラムＰＲＧ、並びにプログラムＰＲＧの実行に用いられるデータなどを記憶する。
【００１５】
ＣＰＵ１８は、メモリ１７に記憶されたプログラムＰＲＧを実行し、接続先として指定された外部装置３＿１〜３＿Ｎから入力したファイルデータＦＩＬＥ＿１〜ＦＬＩＥ＿Ｎをパースして、属性データを抽出する。
具体的には、ＣＰＵ１８は、図３を用いて後述するＫＬＶデータによって構成ファイルデータＦＩＬＥ＿１〜ＦＬＩＥ＿Ｎをパースし、ＫＬＶデータのキー（Ｋ）を検出し、当該キー（Ｋ）を基に所定の属性データを抽出する。
そして、ＣＰＵ１８は、上記抽出した属性データを表示するためのＧＵＩ画面の画像データを生成し、当該画像データをインタフェース１２を介してディスプレイ１６に出力する。
ＣＰＵ１８の動作例は、後述する編集装置４の動作例と関連付けて詳細に説明する。
【００１６】
先ず、ＭＸＦのファイルデータＦＩＬＥ＿１〜ＦＬＩＥ＿Ｎのフォーマットを説明する。
図３は，ＭＸＦのファイルデータＦＩＬＥ＿１〜ＦＬＩＥ＿Ｎのフォーマットを説明するための図である。
図３に示すように、ファイルデータＦＩＬＥ＿１〜ＦＬＩＥ＿Ｎは、ヘッダデータ、ボディデータおよびフッタデータで構成され、各々がパーティションＰＡＴと呼ばれるモジュールデータとして規定されている。
各パーティションは、複数のパックＰＡＣＫと呼ばれるモジュールデータで構成される。
【００１７】
例えば、ヘッダデータは、パックＰＡＣＫであるプリアンブルＰＲＥＡおよびメタデータＭＥＴＡ１を有する。
メタデータＭＥＴＡ１は、図３に示すように、ＵＭＩＤ（Ｕｎｉｑｕｅ  Ｍａｔｅｒｉａｌ  Ｉｄｅｎｔｉｆｉｅｒ）データと、Ｖ／Ａ＿Ｃデータとを含んでいる。
ＵＭＩＤデータは、ボディデータ内のビデオデータＶＩＤＥＯやオーディオデータＡＵＤＩＯ１〜８などのコンテンツデータ（素材データ）の属性を示すデータである。
ＵＭＩＤデータは、例えば、上記コンテンツデータの形式、生成方法、生成時、生成者、生成国名などを示している。
【００１８】
Ｖ／Ａ＿Ｃデータは、例えば、ボディデータに含まれる上記コンテンツデータのチャンネル（系統）を示している。
図３に示す例では、Ｖ／Ａ＿Ｃデータは、ビデオデータＶＩＤＥＯと、８チャンネル分のオーディオデータＡＵＤＩＯ１〜ＡＵＤＩＯ８との９チャンネルのコンテンツデータがボディデータ内に含まれていることを示している。
【００１９】
ボディデータは、パックＰＡＣＫであるビデオデータＶＩＤＥＯ、８チャンネル分のオーディオデータＡＵＤＩＯ１〜ＡＵＤＩＯ８を有する。
ビデオデータＶＩＤＥＯ内には、図３に示すように、複数の画像（フレーム）の画像データと、ユーザが当該画像の記録（生成）時にグットシーン（Ｇｏｏｄ  Ｓｅｎｅ）  として指定した画像の画像データに対応付けられたＥＭ（Ｅｓｓｅｎｃｅ  Ｍａｒｋ）データとが含まれている。
フッタデータは、パックＰＡＣＫであるポストアンブルＰＯＳＡおよびメタデータＭＥＴＡ２を有する。
【００２０】
上述したパックＰＡＣＫ、並びにパックＰＡＣＫ内のデータは全てＫＬＶデータ（本発明のモジュールデータ）である。
ヘッダデータ、ボディデータおよびフッタデータを構成するパックデータ、並びに当該パックデータ内の各データが、キー（Ｋ）、データ長（Ｌ）およびデータ（Ｖ）で構成されるＫＬＶデータであるというデータ構造をファイルデータＦＩＬＥ＿１〜ＦＬＩＥ＿Ｎは有している。当該データ構造は、例えば、ＭＸＦにより規定されている。
ここで、キー（Ｋ）が本発明の識別データに対応し、データ（Ｖ）が本発明の所定のデータに対応している。
ＫＬＶデータは、例えば、図４に示すように、データ（Ｖ）としてＫＬＶデータを持つことが許されている。
【００２１】
ＣＰＵ１８は、上述したデータ構造のファイルデータＦＩＬＥ＿１〜ＦＬＩＥ＿Ｎをパースして、当該フィアルデータ内のＫＬＶデータのキー（Ｋ）を検出し、当該キー（Ｋ）を基に、ＵＭＩＤデータ、Ｖ／Ａ＿ＣデータおよびＥＭデータなどの属性データを抽出する。
【００２２】
以下、上述したように、ＣＰＵ１８が生成した画像データを基にディスプレイ１６に表示されるＧＵＩ画面について説明する。
図５は、当該ＧＵＩ画面３０を説明するための図である。
図５に示すように、ＧＵＩ画面３０は、例えば、接続先指定欄４１、ファイル属性表示欄４２、プレビュー欄４３、プレビュー進行表示欄４４、プレビュー中チャンネル表示欄４５、プレビュー操作ボタン群４６、クリップ名入力欄４７およびインポート指示ボタン４８を有する。
【００２３】
接続先指定欄４１は、ユーザによる図２に示す操作部１４の操作に応じて、ユーザが編集装置４の接続先を指定するために用いられる。
図１に示す例では、外部装置３＿１〜３＿Ｎのいずれかが接続先として指定さえる。
ファイル属性表示欄４２は、図５および図６に示すように、接続先指定欄４１によって指定された接続先から入力した上記ファイルデータをＣＰＵ１８がパースして抽出したＵＭＩＤデータ、Ｖ／Ａ＿ＣデータおよびＥＭデータを表示する。
また、ファイル属性表示欄４２は、図５および図６に示すように、上記ファイルデータのファイル名（ＮＡＭＥ）、サイズ（ＳＩＺＥ）、並びに更新時（ＴＩＭＥ）などの情報を表示する。これらの情報は、ＣＰＵ１８が、上記ファイルデータから抽出してもよいし、当該ファイルデータとは別の所定のデータから取得してもよい。
図６に示す例では、ファイル属性表示欄４２は、例えば、外部装置３＿１に記憶されたファイルデータの名前「ａ．ｍｘｆ」と、そのサイズ「１３，２３５ＭＢｙｔｅ」と、ＥＭマークの有無および個数「Ｙｅｓ，５」と、ＵＭＩＤデータの有無「Ｙｅｓ」と、Ｖ／Ａ＿Ｃデータが示すチャンネル「Ｖ，Ａ１，Ａ２，Ａ７」と、生成時「２００３／０３／０３」とを対応付けて表示している。
【００２４】
プレビュー欄４３は、例えば、ファイル属性表示欄４２上でユーザが操作部１４を用いて指定したファイルデータのプレビュー画像を表示する。
プレビュー欄４３には、プレビュー中の画像のタイムコード５１が表示される。
また、上記プレビュー画像に対応した音声がスピーカ１５から出力される。
【００２５】
プレビュー進行表示欄４４は、図７に示すように、時間軸６０と、ファイル属性表示欄４２上で指定されたファイルデータ内のＥＭデータの位置を示すマークＥＭ＿Ｍと、プレビュー中の画像の時間軸６０上での位置を示すマークＣＰ＿Ｍと、ＩＮ点のタイムコードを指定する欄６１と、ＯＵＴ点のタイムコードを指定する欄６２とを有する。ＩＮ点とＯＵＴ点は、ユーザがクリップデータとして編集装置４に取り込むコンテンツデータの範囲を指定するために用いられる。
クリップデータは、編集に用いる単位となるコンテツデータをいう。
また、プレビュー進行表示欄４４には、ＥＭデータが付されたビデオデータの画像を表示しているタイミングで、ＥＭデータが付されていることを示すマーク６５が表示される。
【００２６】
プレビュー操作ボタン群４６は、上記プレビューの動作（再生、停止等）を指示を入力する複数の操作ボタン画像を有する。
【００２７】
クリップ名入力欄４７は、例えば、プレビュー欄４３にプレビュー中の画像データ、並びにそれに対応する音声データをクリップして得られるクリップデータに付ける名前（クリップ名）を入力するために用いられる。
【００２８】
インポート指示ボタン４８は、プレビュー進行表示欄４４において、プレビュー欄４３にプレビュー中のファイルデータＦＩＬＥ＿１〜ＦＬＩＥ＿Ｎのうち、ＩＮ点およびＯＵＴ点とで指定されたビデオデータおよびオーディオデータをインポートしてクリップデータを生成するための指示を入力するために用いられる。
【００２９】
以下、編集装置４の動作例を、ＣＰＵ１８の動作例と関連付けて説明する。
図８は、当該動作例を説明するためのフローチャートである。
図８において、ステップＳＴ２が第１および第２の発明の第１の手順および第１の工程に対応し、ステップＳＴ３が第１および第２の発明の第２の手順および第２の工程に対応し、ステップＳＴ１およびＳＴ２が第１および第２の発明の第３の手順および第３の工程に対応し、ステップＳＴ３が第１の発明の第４の手順に対応し、ステップＳＴ７が第１の発明の第５の手順に対応している。
また、ステップＳＴ２によって第３の発明の第１の手段が実現され、ステップＳＴ３によって第３の発明の第２の手段が実現される。
【００３０】
ステップＳＴ１：
ＣＰＵ１８は、ユーザが図５に示す接続先指定欄４１を基に外部装置３＿１〜３＿Ｎのいずれかを接続先として指定したか否かを判断し、指定したと判断するとステップＳＴ２の進み、そうでない場合には処理を繰り返す。
【００３１】
ステップＳＴ２：
ＣＰＵ１８は、ステップＳＴ１で接続先として指定された外部装置３＿１〜３＿Ｎに接続し、当該外部装置から入力したファイルデータＦＩＬＥ＿１〜ＦＬＩＥ＿Ｎをパースして、前述したように、ＫＬＶデータのキー（Ｋ）を基に、ＫＬＶデータのデータ（Ｖ）として格納されたＵＭＩＤデータ、Ｖ／Ａ＿ＣデータおよびＥＭデータなどの属性データを抽出する。
ステップＳＴ３：
ＣＰＵ１８は、ステップＳＴ２で抽出した属性データを表示する図５に示すファイル属性表示欄４２に表示する画像データを生成し、当該画像データをインタフェース１２を介してディスプレイ１６に出力する。
これにより、図５に示すＧＵＩ画面３０のファイル属性表示欄４２に、ステップＳＴ２で抽出されたＵＭＩＤデータ、Ｖ／Ａ＿ＣデータおよびＥＭデータなどの属性データが、ファイメル名、サイズおよび生成時のデータと共に表示される。
【００３２】
ステップＳＴ４：
ＣＰＵ１８は、ステップＳＴ２で抽出したＥＭデータを基に、ステップＳＴ２で接続した外部装置３＿１〜３＿Ｎから入力したファイルデータＦＩＬＥ＿１〜ＦＬＩＥ＿Ｎ内のＥＭデータが付された画像の画像信号を生成し、これをインタフェース１２を介してディスプレイ１６に出力する。
これにより、図５にプレビュー欄４３に、ＥＭデータで指定された画像のプレビューが表示される。
なお、ステップＳＴ２で接続した外部装置３＿１〜３＿Ｎに複数のファイルデータが記憶されている場合には、ＣＰＵ１８は、ユーザによって指定されたファイルデータについて上記プレビューの表示を行う。
【００３３】
ステップＳＴ５：
ＣＰＵ１８は、ユーザによる操作部１４の操作によって図５に示すインポート指示ボタン４８が指定されたか否かを判断し、指定されたと判断すると、ステップＳＴ８に進み、そうでない場合にはステップＳＴ６の処理に戻る。
ステップＳＴ６：
ＣＰＵ１８は、図５に示すプレビュー欄４３にプレビュー中のファイルデータＦＩＬＥ＿１〜ＦＬＩＥ＿Ｎ内の欄６１，６２で指定されたＩＮ点とＯＵＴ点とで規定される部分（範囲）を接続中の外部装置３＿１〜３＿Ｎから入力（インポート）する。
【００３４】
ステップＳＴ７：
ＣＰＵ１８は、ステップＳＴ６で外部装置３＿１〜３＿Ｎから入力したデータをノンリニア編集（Ｎｏｎ  Ｌｉｎｅａｒ  Ｅｄｉｔｉｏｎ）用のネイティブフォーマットに変換してクリップデータを生成する。当該クリップデータには、図５に示すクリップ名入力欄４７に入力された名前が付けられる。
ＣＰＵ１８は、上記クリップデータを編集用メモリ（図示せず）に記憶する。
その後、ＣＰＵ１８は、編集処理において、上記クリップデータを読み出して使用する。
ステップＳＴ８：
ＣＰＵ１８は、所定の終了条件を満たしたか否かを判断し、満たしたと判断すると処理を終了し、そうでない場合にはステップＳＴ４の処理に戻る。
【００３５】
以上説明したように、編集装置４では、接続先として指定された外部装置３＿１〜３＿Ｎから入力したファイルデータのファイル名（ＮＡＭＥ）、サイズ（ＳＩＺＥ）、並びに更新時（ＴＩＭＥ）の他に、当該ファイルデータをパースして得られるＵＭＩＤデータの有無、Ｖ／Ａ＿ＣデータおよびＥＭデータの有無および個数を示す図５に示すファイル属性表示欄４２を自動的に表示する。
そのため、ファイル属性表示欄４２を見るだけで、そのファイルデータ内にインポートしようとするコンテンツが含まれているか否かを容易に判断できる。
また、編集装置４によれば、プレビュー欄４３でプレビュー中の画像の進行状況をプレビュー進行表示欄４４を基にユーザが容易に把握できる。
また、プレビュー進行表示欄４４内の時間軸６０にはマークＥＭ＿Ｍが表示され、また、ＥＭデータが付された画像のプレビュー画面にマーク６５が表示されるため、ＥＭデータが付された画像をユーザは容易に特定できる。
また、編集装置４によれば、ファイル属性表示欄４２に表示されるファイルデータについてのプレビューを簡単な操作でプレビュー欄４３に表示でき、ユーザが図７に示す欄６１，６２でＩＮ点およびＯＵＴ点を指定し、続いてインポート指示ボタン４８を指定するだけど、クリップデータを自動的を自動的に生成できる。
【００３６】
本発明は上述した実施形態には限定されない。
例えば、上述した実施形態では、本発明のファイルデータとして、図３などを用いて説明したＭＸＦのファイルデータＦＩＬＥ＿１〜ＦＬＩＥ＿Ｎを例示したが、本発明のファイルデータは、コンテンツデータと前記コンテンツデータの属性を示す属性データとを含むものであれば特に限定されない。
また、上述した実施形態では、図５に示すＧＵＩ画面３０を例示したが、当該画面に例えばファイル属性表示欄４２のみを表示してもよい。
また、本発明の属性データは、ファイルデータに含まれ、当該ファイルデータに含まれるコンテンツデータの属性を示すものであれば特に限定されない。例えば、属性データは、当該コンテンツデータが写真である場合にその写真を写したカメラマンの名前、あるいは、当該コンテンツデータが映画のコンテツに関するものである場合に当該映画の監督の名前などであってもよい。
【００３７】
【発明の効果】
以上説明したように、本発明によれば、ファイルデータ内に含まれる属性データを表示することを可能にするプログラム、その方法およびその装置を提供することができる。
【図面の簡単な説明】
【図１】図１は、本発明の実施形態に係わる編集システムの構成図である。
【図２】図２は、図１に示す編集装置のハードウェア構成図である。
【図３】図３は、図１に示すＭＸＦのファイルデータのフォーマットを説明するための図である。
【図４】図４は、ＫＬＶデータを説明するための図である。
【図５】図５は、図２に示すディスプレイ１６に表示されるＧＵＩ画面を説明するための図である。
【図６】図６は、図５に示すファイル属性表示欄を説明ための図である。
【図７】図７は、図５に示すプレビュー欄およびプレビュー進行表示欄を説明するための図である。
【図８】図８は、図１に示す編集装置の動作例を説明するためのフローチャートである。
【符号の説明】
１…編集システム、３…外部装置、４…編集装置、１０…バス、１１…インタフェース、１２…インタフェース、１３…インタフェース、１４…操作部、１５…スピーカ、１６…ディスプレイ、１７…メモリ、１８…ＣＰＵ、３０…ＧＵＩ画面、４１…接続先指定欄、４２…ファイル属性表示欄、４３…プレビュー欄、４４…プレビュー進行表示欄、４５…プレビュー中チャンネル表示欄、４６…プレビュー操作ボタン群、４７…クリップ名入力欄、４８…インポート指示ボタン
【図１】
2004310331.tif 000003
【図２】
2004310331.tif 000004
【図３】
2004310331.tif 000005
【図４】
2004310331.tif 000006
【図５】
2004310331.tif 000007
【図６】
2004310331.tif 000008
【図７】
2004310331.tif 000009
【図８】
2004310331.tif 000010